(57)【特許請求の範囲】
【請求項１】
廃棄物貯蔵装置内で、フィルムを収納するカセットを回転サポート上で支持するためのカセット支持部分であって、サポート接触部分と、該サポート接触部分から内向きに角度の付けられたカセット接触部分と、を備え、
前記カセット接触部分はカセットの内壁と係合するように上向きに角度が付けられていることを特徴とするカセット支持部分。
【請求項２】
廃棄物貯蔵装置内の回転サポート上にフィルムを収納するカセットを支持するためのカセット支持部分であって、サポート接触部分と、カセット接触部分とを備え、
前記カセット接触部分は、カセット底部を収容するための底壁と、カセットの内壁と係合するために前記底壁から上方に延出する指部とを有し、弾性材料および／またはグリップ材料で構成されることを特徴とするカセット支持部分。
【請求項３】
前記上方に延出する指部は、廃棄物貯蔵カセット上の協動する内向きに延出するリブと接触するように構成された構造を備えることを特徴とする請求項２に記載のカセット支持部分。
【請求項４】
前記上方に延出する指部は、その先端部に半径方向外側に突出する突出部を有し、前記突出部が廃棄物貯蔵カセット上の協動する内向きに延出するリブと接触するように構成されることを特徴とする請求項３に記載のカセット支持部分。
【請求項５】
前記上方に延出する指部は、弾性材料で構成されることを特徴とする請求項２から４のいずれかに記載のカセット支持部分。
【請求項６】
請求項２から５のいずれかに記載のカセット支持部分と、その上に取り付けられた廃棄物貯蔵カセットとを備え、該廃棄物貯蔵カセットが、内壁から内向きに延出して前記上方に延出する指部と接触するリブを持つ内壁を有することを特徴とする廃棄物貯蔵カセットサポート。
【請求項７】
底部と、底部から上方に延出する内壁または外壁の少なくとも一つとを備える、カセットから配給されるフィルムを収納するための廃棄物貯蔵カセットであって、前記底部が、該底部から下方に延出し支持面上の前記カセットを回転可能に支持する支持構造を備えることを特徴とする廃棄物貯蔵カセット。
【請求項８】
前記支持構造が環状の壁であることを特徴とする請求項７に記載の廃棄物貯蔵カセット。
【請求項９】
前記支持構造が間隔の空いた複数の突起であることを特徴とする請求項７に記載の廃棄物貯蔵カセット。
【請求項１０】
前記カセット上の異なる半径方向位置に設けられた第１支持構造と第２支持構造を備えることを特徴とする請求項７から９のいずれかに記載の廃棄物貯蔵カセット。
【請求項１１】
支持面と、前記支持構造によって支持面上に支持される請求項７から１０のいずれかに記載の廃棄物貯蔵カセットと、を有する廃棄物貯蔵装置。
【請求項１２】
前記支持面が外周を有し、前記第２支持構造が前記外周の外側下方に延出することを特徴とする請求項１１に記載の廃棄物貯蔵装置。
【請求項１３】
支持面から上方に延出し廃棄物貯蔵カセットを回転可能に支持する支持構造を備えた支持面を有する廃棄物貯蔵装置。
【請求項１４】
前記支持構造が環状の壁であることを特徴とする請求項１３に記載の廃棄物貯蔵装置。
【請求項１５】
前記支持構造が間隔の空いた複数の突起であることを特徴とする請求項１３に記載の廃棄物貯蔵装置。
【請求項１６】
底部と、底部から上方に延出する内壁または外壁の少なくとも一つとを備える、カセットから配給されるフィルムを収納するための廃棄物貯蔵カセットであって、前記底部が、支持構造を回転するように受け入れる切り欠き区画を備えることを特徴とする廃棄物貯蔵カセット。
【請求項１７】
前記切り欠き区画が前記内壁の底部に配置されることを特徴とする請求項１６に記載の廃棄物貯蔵カセット。
【請求項１８】
前記切り欠き区画が前記外壁の底部に配置されることを特徴とする請求項１６に記載の廃棄物貯蔵カセット。
【請求項１９】
前記切り欠き区画が環状の溝であることを特徴とする請求項１６に記載の廃棄物貯蔵カセット。
【請求項２０】
フィルムを内部に貯蔵する廃棄物貯蔵カセット用の空間を画成する装置本体と、蓋とを備える廃棄物貯蔵装置であって、前記蓋は、蓋が閉じられた位置にあるとき、廃棄物貯蔵カセットと係合可能な切断アセンブリを有しており、前記蓋は、内向き下方に突出するカセット位置決め構造を備え、前記カセット位置決め構造が上向きの凸部であることを特徴とする廃棄物貯蔵装置。
【請求項２１】
前記位置決め構造によって位置決めされる内壁を有するカセットをさらに備える請求項２０に記載の廃棄物貯蔵装置。
【請求項２２】
前記カセットが、前記蓋の位置決め構造と係合する協動位置決め構造をカセットの上面に備えることを特徴とする請求項２１に記載の廃棄物貯蔵装置。
【請求項２３】
フィルムを収納し該装置内で回転可能に取り付け可能な廃棄物貯蔵カセットを受けるよう構成される廃棄物貯蔵装置であって、
該カセットから取り出されるフィルムを回転しないように把持し、さらにフィルムに挿入されるパッケージを回転しないように把持するよう構成される把持ダイアフラムと、
前記パッケージの上方でフィルムをねじって閉じるよう構成される回転ディスクと、
Ｖ字形のスリットを有し、閉じられたパッケージを該廃棄物貯蔵装置の側面に向かわせて該廃棄物貯蔵装置の前記側面と係合させるよう構成されるガイドダイアフラムと、を備える廃棄物貯蔵装置。
【発明の詳細な説明】
【技術分野】
【０００１】
本発明は、廃棄物貯蔵装置に関し、廃棄物貯蔵カセットとカセット支持部分とを含む廃棄物貯蔵装置の構成部分または使用に関する。
【背景技術】
【０００２】
既知の廃棄物貯蔵装置の一つが英国特許第２２０６０９４号に開示されており、参照により本明細書に援用されるとともに、図１を参照してここで説明する。装置は、赤ん坊のおむつまたは他の個人的な廃棄物などの廃棄物を続けて処理するために貯蔵するのに特に有用である。プラスチックコンテナ２１は内部フランジ２２を持つように形成されており、内部フランジ２２から上方にシリンダ２３が延出する。円周方向にひだ状に（pleated）配置された大量の柔軟なチュービング２の内側にある管状コア１からなる包装がコンテナ２１内に配置されている。コア１はフランジ２２の上に置かれ、シリンダ２３上で回転可能である。この包装を用いて一連の物体（この特定の例では、赤ん坊の使い捨ておむつが想定される）パッケージを形成し始めるために、柔軟チュービング２の上部が引き上げられ結び目２４が結ばれる。この閉鎖端部は、チュービングの一部の長さに沿って形成されるパッケージの底部を形成することができる。これは、包装される物体によって、コア１とシリンダ２３の内部へと閉鎖端部が下方に押されることで実現される。これがなされると、柔軟なチュービングが傷つかないように十分に滑らかに作られたコア１の上端２５（図１）を超えて、ひだ状部分から柔軟チュービング２がスライドする。コア１の直径はおよそ４インチ（１０．１６ｃｍ）であってもよいが、柔軟チュービング２の直径はこれよりも実質的に大きいのは当然である。
【０００３】
同心のコア１とシリンダ２３の中に物体が十分に押し込まれると、３０で示す（図１）ように、物体の上方で柔軟チュービング２をねじることによってパッケージが閉じられる。ひだ状のチュービング保持した状態でコア軸の周りにコア１を回転させることでこれが行われる。
【０００４】
英国特許第２２０６０９４号および第２２９２７２５号も参照により本明細書に援用される。両方とも、廃棄のために容器を取り出したいときに、チュービングを切断するための切断装置を開示する。図２を参照して、切断手段はユニット３１に組み込まれている。ユニット３１は、コア１または漏斗部１２の上部と係止する、フランジ５０を用いて形成された外側リング５５と、リング５５内で自由に回転するディスク５６とを備える二連ユニットである。ディスク５６は円形の透明シート５７を備え、このシートを通してユーザはねじられた柔軟なチュービングを見て、狭いフランジの間に配置された、水平フランジ５８と垂直フランジ５９（図１）とを有する山形断面リングを相対的に静止しているフランジ５０の内部にはめ込む。リング５８、５９の角度で、三つの指部６０が透明シート５７の上方に１２０度ずつ離れて取り付けられる。カッターユニット６１はフランジ５８の下方に取り付けられる。この装置は、上部弓形部６２と下部テーパーシュー（tapered shoe）６３とを有しており、両者の間にはその全長の主要部に沿って隙間がある。この隙間の閉鎖した末端に近接して、相対的に静止したフランジ５０と可能な限り接近して金属カッター刃６４が取り付けられる。これにより、蓋３１が取り除かれたときに人の指に損傷を与えないように刃が覆われる。蓋の主な材料は、プラスチック材料または金属であってもよい。
【０００５】
カッターユニット６１を操作するために、指部６０または任意の他の適切な指部を用いてディスク５６が全回転される。この操作時に、最上部のねじり３０からコア１に向けて外側に広がる柔軟チュービングのひだ付きのピンと張った部分（taut portion）６５を、テーパーシュー６３が半径方向に貫通する。ディスク５６をさらに回転すると、カッター刃６４がチュービング材料を円形に切断し、コア１内に残る柔軟なチュービングから最上部のパッケージをきれいに分離する。カッターユニットは、１２０度の間隔で操作可能である指で解放可能な戻り止め（デテント）をさらに備える。
【０００６】
さらなる改善では、参照により本明細書に援用されるＷＯ９９／３９９９５は、図２を参照して上述したものと似たタイプであるが、廃棄物貯蔵コンテナ用のヒンジ付きの蓋と一体形成されたカッターを説明する。ヒンジ付きの蓋が振り下ろされるとカッターが自動的にチュービングと係合して、簡略化された切断装置を可能にしている。さらに改善された装置がＷＯ２００５／０４２３８１に開示されており、その内容は参照により本明細書に援用される。廃棄物貯蔵装置は、ユーザ把持部を持つ外側回転ディスクを備える回転サポートを有する。ディスクがカセットと係合し、カセット自身またはチュービングに触れる必要なく、カセットを回転させる。この装置は、図３ないし６を参照するとさらに詳細に理解することができる。
【０００７】
この装置は、ハンドル１０２を持つ回転スピナーまたはディスク１００を備える。ディスク１００は、コンテナ２１に形成された環状リム１０４上に回転するように取り付けられる。カセット１は、その外壁の周囲に、肩部１０４の上に載る環状フランジ１０６を有する。このため、ディスク１００の回転によりカセットが回転し、チュービング２にねじりが与えられる。代替的な実施形態（図示せず）では、カセット上の環状フランジ１０６がコンテナ自体の形成部上に載り、ディスクは、カセット内の切り欠きなどの対応する形成部と係合する突起などの形成部を備える。いずれの場合も、回転抵抗の小さい、カセットを回転させる簡単な手段が提供される。
【０００８】
コンテナ２１には、ヒンジ付きの蓋７０がさらに設けられる。ヒンジ付きの蓋７０は、蓋７０が閉じられたときに漏斗部１２に対してチュービング２と係合する一体カッター５７を備え、図２を参照して上述した方法でチュービングを切断する。本発明に係るカッターの特定構成については、後に詳細に説明される。
【０００９】
コンテナは、上部の把持ダイアフラム１２０と、下部のガイドダイアフラム１２２をさらに備える。これらは、カセットの下方のコンテナ２１ののど部内に設けられたコンテナの適切な形成部上に取り付けられ、柔軟な材料で形成される。上部の把持ダイアフラム１２０は中心開口部を有する。中心開口部は、以下でさらに詳細に説明するように例えば円形または突起部を持つ円形であってもよく、回転ディスク１００によるカセットの回転に抵抗してパッケージを保持するように構成される。下部のガイドダイアフラム１２２はＶ字形のスリットを有しており、パッケージ３５がスリットを通して押し込まれたときに、パッケージ３５をコンテナ２１の方向に向かわせパッケージ３５をコンテナ２１の側面と係合させて、回転とねじりの戻りとを確実に防止するようになっている。ダイアフラム１２２が、追加のはめ込み内壁または溝付き部２１ａの方向にパッケージ３５を向かわせてパッケージ３５との接触を容易にしていることが分かる。ヒンジ付き蓋、回転ディスク、カセット、上部および下部のダイアフラムは全て、コンテナ２１の下部から取り外すことができるコンテナ２１の上部に設けられており、コンテナ２１内に貯蔵された廃棄物を取り出すことができる点に注意すべきである。二つの部分は任意の適切な留め手段によって結合することができ、選択的に、留め部はコンテナをまとめて移動させるための一体ハンドルを提供してもよい。
【００１０】
回転ディスクおよびカセットアセンブリについて、図４および５を参照してさらに詳細に説明する。回転ディスク１００は、その上にハンドル１０２が取り付けられた柱を有する上環部１１０を備える。ハンドルは柱の上で自由に回転して、ユーザによるディスク１００の回転を容易にしている。外側円筒壁１１２は上環部１１０からたれ下がり、図３で分かるようにその下面はコンテナの支持面で支えられる。内側円筒壁１１４は上環部１１０の内縁からたれ下がり、内側に突出する環状サポートフランジ１１５を有する。図５から分かるように、環状サポートフランジ１１５は、カセット１を支える肩部１０４をその底部に提供している。カセット１は、サポートフランジ１１５に寄りかかる、外側に突出した環状フランジまたはリップ１１６をその外壁上に有する。加えて、外側円筒壁の下面から突出する突出部１１８がカセット１の凹部または開口部１１９と係合して、完全な回転係合を実現する。凹部１１９は、例えば、製造過程でカセット内にチュービングを挿入するときに空気を逃がすための通気孔として機能してもよい。代替的に、カセットは、回転ディスク１００上の協動する突出部または他の形成部と係合する、複数の軸方向を向いたリブをその外周に有していてもよい。上環部１１０は、ユーザがチュービングにアクセスし、カセットの中央開口部を通してチュービングを引き出せるようにする切り欠き部を備えてもよい。チュービングをほとんど使い終わったときユーザに使い終わりを知らせる標識としての着色または他のインジケータを、チュービングの下端に有していてもよい。
【００１１】
図６を参照すると、ディスク形のリム部２５０を有するものとしてヒンジ付きの蓋７０をより詳細に理解することができる。ディスク形リム部２５０は、外側下方に湾曲した周縁リップ２５２と、下方に膨らんだ内縁部２５４とを有している。内縁部２５４は、内側のほぼ水平の環状フランジ２０２を有する円形の中心開口部を形成する。環状フランジ２０２は、内側上方に突出する円筒形ガイドリップ２０４を備える。カッター５７はハンドル部２０６を備える。ハンドル部２０６は、ヒンジ付き蓋のガイドリップ２０４に対して回転可能に取り付けられた適切な把持部（図示せず）を有するほぼ円形の本体と、ガイドリップ２０４と係合して回転ガイドを形成する協動内側リップ２０８とを備える。ハンドル部２０６からたれ下がるようにして、カッター部２１０は、図２を参照して詳細に説明した刃（図示せず）を有しディスクから突出するシュー２１４を有する円形ディスク２１２を備える。ハンドル部２０６を回転すると、カッター部２１０がチュービングに対して回転し、刃の上に載りカッターの連続回転によって切断されるチュービング２をシュー２１４がキャッチする。最適な場合、カッターの周囲に二つの刃と対応するシューとが１８０度の間隔で設けられ、カッターの一回転でフィルムの全周が確実に切断される。
【発明の概要】
【発明が解決しようとする課題】
【００１２】
既存のデザインは限られた範囲のカセットに適合しており、一部の例ではさらに柔軟性が必要とされている。
【課題を解決するための手段】
【００１３】
本発明は請求項で定められる。
【００１４】
以下、図面を参照して本発明の実施形態を例示として説明する。
【図面の簡単な説明】
【００１５】
【図１】既知の種類の装置の一部を切り取った側面図である。
【図２】既知の種類の切断装置の下面図である。
【図３】既知の種類の廃棄物貯蔵装置の断面図である。
【図４】図３の廃棄物貯蔵装置内のカセットを回転させる回転ディスクの断面である。
【図５】カセットを運ぶ図４の回転ディスクの断面図である。
【図６】図３の実施形態に係るカッターおよび蓋の断面図である。
【図７】本発明の第１実施形態の第１態様に係るカセット支持部分の模式図である。
【図８】本発明の第１実施形態の第２態様に係るカセット支持部分の模式図である。
【図９】本発明の第１実施形態の第３態様に係るカセット支持部分の模式図である。
【図１０ａ】本発明の第１実施形態の第４態様に係るカセット支持部分の模式図である。
【図１０ｂ】図１０ａの実施形態の一部を切り取った断面図である。
【図１１】本発明の第２実施形態に係る廃棄物貯蔵装置の第１態様の断面図である。
【図１１ａ】本発明の第２実施形態の代替的な第１態様に係る廃棄物貯蔵装置の断面図である。
【図１２】本発明の第２実施形態の第２態様に係る廃棄物貯蔵装置の模式的な断面図である。
【発明を実施するための形態】
【００１６】
概要として、本発明は、ユーザによるカセット選択の自由度を高める廃棄物貯蔵装置の追加構造、廃棄物貯蔵カセット、またはカセット支持部に関する。二つの実施形態にしたがって、ユーザはカセットを回転させておむつをフィルム内に封止することができる。
【００１７】
第１実施形態では、支持部として機能するロータの回転リング上の構造によってカセットの壁が把持される。例えば、これは角度付きの構造または弾性構造であるか、またはカセットの代替部分と係合してもよい。この構造は回転リングと一体であってもよいし、または既存の回転リングに容易に取り付けられる追加支持部内に組み込まれていてもよい。
【００１８】
第２実施形態によると、サポートまたは回転リングを省略することができる。また、カセットまたは廃棄物貯蔵装置の構造のおかげで、廃棄物貯蔵装置内の支持棚上で自己中心出し（セルフセンタリング）される手動回転カセットを設けることができ、カセットが蓋のカッターとともに機能することが保証される。
【００１９】
本明細書に記載の構成は、ＷＯ２００５／０４２３８１に関連して上述したいわゆるSangenik Mark IIIの装置を含む既知の装置と組み合わせて機能することができる。上述のように、本明細書は、回転リングの内壁上のリムと協動的に係合するカセットの外壁上の出っ張りを介して、リングまたはサポートを回転させるようにぶら下がるカセットを開示する。これによりユーザは、カセットから出たフィルムディスペンサーをねじって廃棄物パッケージを気密に封止するために、カセットを簡単に回転することが可能になる。
【００２０】
しかしながら、本明細書に記載の構造を任意の適切な廃棄物貯蔵装置と関連して使用してもよいし、本明細書に記載の構造がこの種の装置の改良版を構成してもよいことに注意すべきである。例えば、ダイアフラム１２０、１２２が、中心オリフィスで終わる弾性指部を備える下方半球部を有する単一の上部ダイアフラムで置き換えられた改良装置が考えられる。
【００２１】
同様に、本明細書に記載の構造は、様々な代替カセット構成とともに動作することができる。例えば、カセットは、内外壁と、底部と、外壁の上部から内壁に向かって突出する環状フランジとを有してもよい。この環状フランジは、図１に示すように、フィルムが取り出されるように内側に環状の隙間を残して途中まで突出する。代替的に、カセットは、内外壁と、底部と、内壁から上方に部分的に外壁に向かって突出する環状フランジとを備えてもよい。この環状フランジは、フィルムを取り出すために外縁に円周状の隙間を残す。フランジは固定されてもよいし、取り外し可能な部品であってもよく、漏斗部として機能することができる。
【００２２】
本発明の第１実施形態の第１態様について、図７を参照して説明する。上述したように、廃棄物７１０を包むためのチューブ状フィルム７０２を供給するカセット７０１はＵ字形断面を有しており、環状の底部７３４で接続された内壁７１６および外壁７０３を備える。フィルムは、蓋またはフランジ７２０によってカセット内に保持される。フランジ７２０は、内壁から外壁に向けて延出してもよいし、その逆であってもよい。
【００２３】
図３を参照して上述したように、既知のシステムでは、カセットの外壁の周りに突出するリムまたはフランジ１０６が設けられる。フランジ１０６は、カセットサポートまたは回転リング７０４の内壁から突出する肩部１０４の上に載る。
【００２４】
他方、本明細書に記載の実施形態によると、サポート７０４は、カセット支持部分または延長部分７０６をその代わりにまたは追加して備えている。カセット支持部分７０６は、回転リング７０４の垂直壁または環状壁７２２の下端から内向き下方に角度が付けられており、円錐形のリングを形成している。一実施形態におけるカセット支持部分は、熱可塑性エラストマーなどの柔軟なグリップ材料、または別のエラストマーなどの任意の他の適切な弾性材料またはグリップ材料であってよい。カセット支持部分は、サポートの残りの部分と出会うサポート接触部分７４０と、カセット自体と接触しこれを支持するように構成されたカセット接触部分７４２とを備える。図示の実施形態では、カセット支持部分７０６は、例えば既知の成型技術を使用してサポート接触部分で堅いプラスチック製の垂直壁上に柔軟なグリップ材料を一体成型することによって、回転リング７０４と一体的に形成される。
【００２５】
図８に示す第１実施形態の第２の代替的な態様によると、延長部分８０６は、回転リング８０４に対して別個にかつ取り外し可能に形成されてもよい。延長部分８０６は、例えば外側の平坦な環状区画８１２を備えてもよく、回転リング８０４の下方内向きに延出する環状フランジ８０８にこの環状区画８１２を取り付けることができる。例えば、一実施形態では、回転リング８０４は、既知のカセットの環状フランジ１０６と係合させるために、上記の環状フランジ８０８上に上方に延出する突出部８０９を有している。この場合、環状区画８１２は、突出部８０９を受け入れる貫通穴を備える。このため、カセット接触部分を回転リング８０４にしっかりと係合させることができる。
【００２６】
カセット支持部分８０７は内向き下方に角度が付けられ、装置に搭載されるカセットの外壁と係合してこれを把持する円錐状区画を効率的に形成する。
【００２７】
したがって、カセットを支持部分７０６または８０６の上に載せる操作時に、およびユーザがハンドル７０５を引いて回転リング７０４を回すときに、支持部分７０６または８０６がカセットの外壁を把持して回転リング８０４とともにカセットを回転させることが理解されるだろう。上述したように、これは廃棄物の上方でチューブ状フィルム７０２にねじりを与えてフィルム内に廃棄物を封止する。
【００２８】
図７および８を参照して連続円錐形の内向きに角度の付けられた支持部分について説明したが、回転リング７０４または８０４の下端から延出する、間隔の空いた内向き下方に角度の付けられた突出部または指部でこれを置き換えることができることに注意すべきである。
【００２９】
弾性グリップ部は、カセットの滑らかな外壁７０３を把持する、柔らかな材料からなる摩擦面を提供するという利点があることがさらに理解される。加えて、またはこれとは別に、支持部分７０６または８０６には様々な直径のカセットを適合できるように内向き下方に角度が付けられており、したがって異なるカセットを同一の回転リングとともに操作することができる。
【００３０】
図９を参照すると、第１実施形態の第３態様が示されている。既に詳細に説明したように、カセット９０１は典型的に円筒形の外壁および円筒形の内壁９１６を備える。したがって、第３態様によると、カセット支持部分は、垂直の外側環状壁９１３と、そこから内向きに突出する底部または下部平坦リング９１４と、内向き上方に延出してカセットの内壁９１６と係合するように角度が付けられた円錐状のカセット接触部分９１５とを備える。好適な実施形態では、延長部分は、既に詳細に説明したように、堅いプラスチック製の内壁９１７を把持する摩擦面を提供する柔軟なグリップ材料で構成される。カセット支持部分９０６は回転リング９０４と一体的に作られてもよいし、または図示の実施形態では、図８を参照して上述したように回転リングの上に取り付けられてもよい。この実施形態または全ての実施形態では、カセット支持部分を柔軟なグリップ材料で形成してもよいし、カセット接触部分のみを適切な弾性材料で形成してもよいことに注意すべきである。また、カセット支持部分の全体が連続体であってもよいし、間隔の空いた指部で構成されてもよいことは、図７ないし９を参照して理解されるだろう。別の態様では、カセット支持部分の一部が連続体であり、他の部分は間隔が空いていてもよい。例えば、カセット接触部分のみが指部で形成され残りが連続体であってもよいし、その逆であってもよいし、この変形であってもよい。
【００３１】
第１実施形態の別の態様の平面図および側面断面図をそれぞれ表す図１０ａおよび１０ｂを参照して、カセット支持部分１０１４は、図９で述べたものと同様に形成されるが、カセット接触部分９１５が、リング部分１０１４から上方を向く一つまたは複数の垂直に延出する指部１０１７で置き換えられている点が異なる。垂直指部１０１７はそれぞれ上方に延出し、半径方向外向きの突出部１０１８で終わる。これは、内壁１０６に複数の垂直リブ１０１９を備えるタイプのカセットであるときに有利である。特に、突出部１０１８は、回転リング１００４が回転するときにカセットの垂直リブ１０１９とそれぞれ接触して回転し、フィルムの正確な回転およびねじりを実現する。さらに、カセットが内側に延出するかまたは内壁から張り出す突出部を備える場合、これが支持部分のカセット接触部分の上に載ってもよい。
【００３２】
図８ないし１０を参照して説明したカセット支持部分、および／または回転リング自体が、回転リングへの取り付けのために、カセットに成型されてもよいし、接着されてもよいし、固定されてもよいことに注意すべきである。
【００３３】
続いて、第２実施形態の態様について、図１１、図１１ａおよび図１２を説明する。これらは、図３を参照して概要を説明したタイプの廃棄物貯蔵装置を示すが、回転リング１００を備えていない。
【００３４】
この場合、１１２５などの廃棄物貯蔵装置は、チューブ状フィルム１１０２内に封止された廃棄物を貯蔵するための下方タブ１１２６を備える。ハブ１１２６の上方には、図３を参照して説明したグリップダイアフラム１１３２を備えるカバーアセンブリ１１２８がある。既に詳細に説明したように、カセットの内壁の内面と係合する回転カッター１１３０を備えるヒンジ付きの蓋１１３１が装置の中心に配置される。
【００３５】
上述の回転リングは、カセットのコアをダイアフラムの上方に位置づけるとともに、必要に応じてカセット上面のタブが切断装置と正確かつ直ちに係合するように、カセットを効果的に中心出し（センタリング）する。回転リングが存在しないと、廃棄物貯蔵装置内に搭載されたカセットは、ダイアフラム１１３２上に着座する。ダイアフラム１１３２は典型的に柔軟なグリップ材料で作られており、カセットの回転を抑制する。カセットが中心出しされないために、カセットとカッター１１３０とが同心にならず、そのため所望の態様でカッターが動作しなくなる。
【００３６】
これらの問題を解決するために、ダイアフラム１１３２の上部にカセットが着座する第１垂直環状壁１１３５を追加することが提案される。第１垂直環状壁１１３５は、カセットの下面１１３４とほぼ直角であり、ダイアフラム１１３２の外形よりも小さい直径を有する。第１垂直環状壁１１３５は、カセットが回転されるとき、カセット上での引き摺りを低減する下面領域を提供する。
【００３７】
第１垂直環状壁１１３５よりさらに延出し、カセットの下面１１３４とほぼ直角である第２垂直環状壁１１３３を設けてもよい。第２垂直環状壁１１３３は、第１垂直環状壁１１３５よりも大きく、カセットが上に載るダイアフラムの外形よりもわずかに大きいに過ぎない直径を有する。ダイアフラム１１３２の外側に第２垂直壁１１３３を配置することで、カセットは蓋のカッターとの同心状態を維持する。垂直環状壁１１３３および１１３５は別個であってもよいし、図１１に示すように、カセットの下面に単一の突出構造を形成するように連続的であってもよい。連続的な壁の代わりに、互いに間隔の離れた一連の突起を円形に配置してもよいし、回転支持部を提供する任意の他の適切な構成であってもよい。
【００３８】
垂直にたれ下がる環状壁の寸法はダイアフラムの寸法によって決まることが容易に理解される。典型的な実施形態では、ダイアフラムは円形の外周を有している。ダイアフラムは、廃棄物を通過させる空間を画成するために、垂直方向に延びる円筒壁から延出する環状の上壁に取り付けられるが、タブの内壁からは離して配置される。したがって、ダイアフラムの外周周りに延出する第２の垂直壁に空間が提供され、ダイアフラムの中心出し（センタリング）を可能にしている。
【００３９】
代替的に、一つまたは二つの垂直方向に延びる環状壁１１３３、１１３５の代わりに、図１１ａに示すように、上部ダイアフラム支持面１１４０の周囲から直立環状壁１１３６が延出してもよい。直立環状壁１１３６は、ダイアフラム１１３２に対して実質的に垂直に延び、ダイアフラム支持面１１４０の外周またはその内側から延出してもよい。図１１で説明したように構成された一連の突起を代わりに設けてもよい。カセットは、外壁１１０３の底部に切り欠きまたは段状区画１１３８を有してもよい。直立環状壁１１３６は切り欠き区画１１３８の中に受け入れられ、これによってカセットと蓋のカッターとの同心状態を維持することができる。代替的に、切り欠き区画１１３８が内壁１１１６の底部に配置されてもよい。代替的に、切り欠き区画１１３８の代わりに、カセットは底部１１３４に環状溝（図示せず）を有してもよい。
【００４０】
例えば、切り欠き区画を設ける場合、切り欠き区画は、カセットの下端または底部に、カセット外壁の上端に対して直径の減少した段状の外壁を備えてもよいし、および／または、カセット外壁の底部に向けて直径が減少する一つまたは複数の円錐形区画をさらに備えてもよい。円錐形区画は、直立環状壁内に受け入れられる差込部を形成する。
【００４１】
代替実施例では、切り欠き区画を設ける場合、切り欠き区画は、カセットの下端または底部に、カセット内壁の上端に対して直径の増大した段状の内壁を備えてもよいし、および／または、カセット内壁の底部に向けて直径が増大する一つまたは複数の円錐形区画をさらに備えてもよい。円錐形区画は、直立環状壁内に受け入れられる差込部を形成する。
【００４２】
別の実施例では、切り欠き区画を設ける場合、切り欠き区画は、直立環状壁をその内部に受け入れることができる環状溝をカセットの底部１１３４内に備えてもよい。
【００４３】
図１１または１１ａの実施形態では、図３を参照して上述したように、依然として回転リング１００を用いてカセットを回転させることも可能であると考えられる。この構成では、カセットは回転リング１００によって支持されるが中心出しはされず、カセットが蓋のカッターと同心になることは垂直環状壁１１３６によって保証されている。代替的に、カセットが環状壁または同様物に支持されてもよいが、支持をしない回転リングによって中心出しと回転が行われる。
【００４４】
第２実施形態の第２態様によると、例えばダイアフラムが存在しない場合にカセットを位置決めする代替手段が提供される。図６を参照して上述したように、カッターは、動作時にフィルムがカセットを離れる点の近くでフィルムを把持してカッターが回転するときにフィルムが静止保持されるようにするカッター部分を備えており、これによって効率的な切断動作が保証される。回転リングが存在しないときに、カッターがカセットと係合するようにカセットを中心出し（センタリング）するために、図１２に示すように蓋および／またはカセットを改良することができる。
【００４５】
本質的に、フィルムがカセットを離れる点の近くで蓋の下面にある突起がフィルムを把持し、カッターが作用するときにフィルムが静止保持されるようにしている。図１２を参照して、蓋１２３１は延出した湾曲面１２４２を有する。湾曲面１２４２は、蓋１２３１が閉じられると、カセットの中心空洞に「引き込まれる」。より詳細には、湾曲面１２４２は、上方から観察したとき、ほぼ対角線上で内向き下方に突出して凸状に湾曲した、一つの連続した半球形の環または複数の環状部あるいは指部を含む。使用時に、蓋が部分的に閉じられたとき、いかにカセットが偏心して配置されようと、湾曲面１２４２は十分に内側に延出してカセットの内壁１２１６の上部と係合する。蓋をさらに閉じることは、湾曲面１２４２が内壁の上部を押し、支持面１２４０の上で内壁を移動させてそれを中心出しすることを意味する。蓋を完全に閉じることによって、カセットがカッター１２３０と同心になるように湾曲面によってカセットが位置決めされ、刃１２４１との正確な係合が準備される。
【００４６】
湾曲面１２４２の位置決め効果の代わりに、またはこれに加えて、カセット１２０１の内壁１２１６の上部が、カッター１２３０および刃１２４１と同心の位置にカセットを導くように作用する第２の湾曲面１２４３を有してもよい。内壁１２１６の上部の湾曲面１２４３は、カセット１２０１内部にフィルム１２０２を保持するために使用されるフランジ１２２０に追加されてもよい。代替的に、フランジ１２２０は、その上に配置される湾曲面１２４３を有してもよい。
【００４７】
上述の実施形態により、第２実施形態に係る回転リングを用いても用いなくても、第１実施形態に関してある範囲のサイズのカセットを適用可能になることが理解されるだろう。
【００４８】
廃棄物パッケージの挿入時にカセットからフィルムを引き出し、続いて回転リングを介してカセットを回転するかまたはカセット自体を手動で回転させてねじりを作り出すという上述の原理にしたがって、装置が動作することが理解されるだろう。
【００４９】
さらなる実施形態では、完全なねじり機能を用いずにカセットを動作させることができる。この実施形態では、ユーザがフィルム内で一時的に閉鎖ねじりを加えて廃棄物を封止できる程度に十分長い間、ダイアフラムが廃棄物を把持することができる。その後、ユーザはねじりをほどいて、再び一時的な閉鎖ねじりを加える前に次のおむつを廃棄することができる。
【００５０】
上述の構成を、任意の適切な材料で、任意の寸法並びに材料の装置またはカセットに関連して実施できることは認められるだろう。第１実施形態に係る角度の付けられた部分または弾性部分は、互いに独立して設けることができる。また、第２実施形態に係る追加の中心出し構造は、必要に応じて追加アタッチメントとして一体的に形成または提供することができる。
【図１】
0005945577.tif 000002
【図２】
0005945577.tif 000003
【図３】
0005945577.tif 000004
【図４】
0005945577.tif 000005
【図５】
0005945577.tif 000006
【図６】
0005945577.tif 000007
【図７】
0005945577.tif 000008
【図８】
0005945577.tif 000009
【図９】
0005945577.tif 000010
【図１０ａ】
0005945577.tif 000011
【図１０ｂ】
0005945577.tif 000012
【図１１】
0005945577.tif 000013
【図１１ａ】
0005945577.tif 000014
【図１２】
0005945577.tif 000015